(57)【要約】【課題】本発明は、傾斜地でも使用することのできる傾斜地対応標示装置を提供する。【解決手段】標示装置１において、掲示板２の両側に脚部３が取り付けられ、その脚部３の少なくとも一方を、前記掲示板２から下方への突出長さを調節可能としたことを特徴とする。この結果、脚部３の長さを左右独立に調節することができるので、傾斜地においても掲示板２が水平になるよう標示装置１を設置できる。また、標示装置１を安定して設置できる。【選択図】　図１
2004012507.tif 000002
【特許請求の範囲】
【請求項１】
掲示板の両側に脚部が取り付けられ、その脚部の少なくとも一方を、前記掲示板から下方への突出長さを調節可能としたことを特徴とする傾斜地対応標示装置。
【請求項２】
前記脚部が、前記掲示板に取付られる支柱部と、前記支柱部の下端にあって前記支柱部を支持するベース部とからなり、前記支柱部にはスリットが設けられ、前記掲示板の端面壁には挿通孔が設けられ、前記スリットと前記挿通孔に通した取付けボルトにより前記支柱部が前記掲示板に対して上下位置調節可能に取付けられていることを特徴とする請求項１記載の傾斜地対応標示装置。
【請求項３】
前記脚部が、前記掲示板に取付られる支柱部と、前記支柱部の下端にあって前記支柱部を支持するベース部とからなり、前記ベース部の上面には第１接続部材が設けられると共に、前記支柱部の下端には第２接続部材が設けられ、前記両接続部材が前記掲示板の板面と直行する軸を中心として回動可能に連結されていることを特徴とする請求項１または請求項２記載の傾斜地対応標示装置。
【発明の詳細な説明】
【０００１】
【発明の属する技術分野】
本発明は、傾斜地においても使用可能にした傾斜地対応標示装置に関する。
【０００２】
【従来の技術】
従来、標示装置としては、掲示板の両側に一対の脚部が取り付けられ、前記脚部は、前記掲示板に取り付けられる支柱部と、前記支柱部を支持するベース部とからなる構造のものが知られている。このような標示装置は、例えば、特開平６−３０１３３９号公報にあるように、ベース部と支柱部とがボルトで固定され、かつ支柱部と掲示板とがボルトで固定される構造とされていた。このような標示装置は、所望の場所にベース部を設置して、ベース部に支持された支柱により掲示板を掲示して使用される。
【０００３】
【発明が解決しようとする課題】
しかしながら、上記のような構成では掲示板から下方への脚部の突出長さを調節できるような構造とはなっていないため、一方の脚部の設置場所と他方の脚部の設置場所との間に高低差のある土地上で使用する場合、掲示板が傾いた状態でしか標示装置を設置できない。これでは、掲示板の見栄えが悪く、また、標示装置の安定性に欠けるため、傾斜地では事実上使用できないという問題点があった。
【０００４】
本発明は上記のような事情に基づいて完成されたものであって、傾斜地でも使用可能な傾斜地対応標示装置を提供することを目的とする。
【０００５】
【課題を解決するための手段】
上記の目的を達成するための手段として、請求項１の発明は、掲示板の両側に脚部が取り付けられ、その脚部の少なくとも一方を、前記掲示板から下方への突出長さを調節可能としたことを特徴とする。
【０００６】
請求項２の発明は、請求項１に記載のものにおいて、前記脚部が、前記掲示板に取付られる支柱部と、前記支柱部の下端にあって前記支柱部を支持するベース部とからなり、前記支柱部にはスリットが設けられ、前記掲示板の端面壁には挿通孔が設けられ、前記スリットと前記挿通孔に通した取付けボルトにより前記支柱部が前記掲示板に対して上下位置調節可能に取付けられていることを特徴とする。
【０００７】
請求項３の発明は、請求項１または請求項２に記載のものにおいて、前記脚部が、前記掲示板に取付られる支柱部と、前記支柱部の下端にあって前記支柱部を支持するベース部とからなり、前記ベース部の上面には第１接続部材が設けられると共に、前記支柱部の下端には第２接続部材が設けられ、前記両接続部材が前記掲示板の板面と直行する軸を中心として回動可能に連結されていることを特徴とする。
【０００８】
【発明の作用及び効果】
＜請求項１の発明＞
請求項１の発明によれば、少なくとも一方の脚部の、掲示板から下方の突出長さを調節できるので、一方の脚部の設置場所と他方の脚部の設置場所との間に高低差があっても掲示板が大きく傾くことなく標示装置を設置できる。
【０００９】
＜請求項２の発明＞
請求項２の発明によれば、支柱部に設けたスリットを通した取付けボルトにより支柱部が掲示板と取付けられるので、スリット内の任意の位置で、掲示板と脚部とを取付けボルトにより取り付けることが可能となる。このように脚部の任意の位置で掲示板を取付けることにより、脚部における掲示板から下方の突出長さを自由に調節することができる。この結果、一方の脚部の設置場所と他方の脚部の設置場所との間に高低差がある傾斜地等においても、設置場所の高低差に合わせて、掲示板から下方の脚部の突出長さを自由に調節することにより、掲示板が水平になるように標示装置を設置できる。
【００１０】
＜請求項３の発明＞
標示装置を安定させるためには、脚部下端部の設置面積を大きくすることが望ましい。このため一般的に、脚部下端部に幅広のベース部が取付けられる。しかしながら従来のように支柱部とベース部とが固定されていた場合、傾斜地においては、幅広のベース部底面の一部分のみが設置面と接することになるので、ベース部底面と設置面との接地面積は小さくなってしまう。この結果、傾斜地においては標示装置の安定性が損なわれてしまう。
【００１１】
請求項３の発明によれば、掲示板と直交する軸を中心として、設置場所の傾斜に合わせてベース部を支柱部に対して揺動させることにより、設置面とベース部底面とが平行になるようベース部の取付け角度を調節することができる。この結果、設置面とベース部底面との接地面積を大きくすることができるので、安定した状態で標示装置を設置できる。
【００１２】
【発明の実施の形態】
以下、本発明の実施形態を添付図面に基づいて説明する。
＜実施形態＞
本発明の実施形態を図１ないし図７によって説明する。
【００１３】
図１には、本実施形態の標示装置１の斜視図を、また図２には正面図、図３には側面図を示した。本実施形態においては、掲示板２の両側に一対の脚部３が取り付けられる。
【００１４】
前記掲示板２は、図４、５に示すように、断面が略凹字状である４本の中空筒４を、その凹部５が内側を向くように長方形状に組み合わせてなる枠体６において、中空筒４の凹部５により枠体６の内側に形成された溝部内に長方形状のパネル７が嵌め込まれてなる。前記枠体６を構成する左右の中空筒４には、その外側端面の上下方向における中央付近と下端付近とに側方に向く螺子孔８が形成されている。
【００１５】
前記脚部３は、支柱部９と、支柱部９を支持するベース部１０とからなる。前記支柱部９は、上下に伸びた２本の角筒部１１の間を連絡壁１２によって前後につないだ形状となっている。各角筒部１１間に形成される内側凹部１３内に前記枠体６が嵌め込まれ、これと反対側の外側凹部１４内には円形のつまみ部１５の付いた取付けボルト１６が嵌め込まれる。連絡壁１２には上下方向に延びるスリット１７が設けられ、取付けボルト１６はスリット１７に挿通されて、前記枠体６に形成された螺子孔８にねじ込まれる。取付けボルト１６を緩めた状態（図４参照）では、支柱部９はスリット１７の上下範囲内でスライド可能となる。他方、取付けボルト１６を締め込むことにより、つまみ部１５の基部と枠体６とが連絡壁１２を挟み込む結果、掲示板２と支柱部９とが固定される（図５参照）。
【００１６】
前記ベース部１０は、扁平な筒状に形成され、前記支柱部９の下方で、前記掲示板２に対して直交する方向に方向に延びて配置される。
【００１７】
前記支柱部９と前記ベース部１０とは、ベース部１０上面の中央に取り付けられた接続部材１８（請求項３における第１接続部材に相当する）と、支柱部９の下端部に取り付けられた接続部材１９（請求項３における第２接続部材に相当する）とにより連結される。接続部材１８は、所定距離だけ離れた一対の突部１８ａを有する略凹字状をなし、その２つの突部１８ａがベース部１０の長手方向に沿って並ぶ形態でベース部１０の上面に固定されている。なお、この接続部材１８の両突部１８ａには、掲示板２の板面に直交する方向に挿通孔２３、２４がそれぞれ形成され、これらが同軸上に並ぶようになっている。
【００１８】
前記支柱部９の下端には中央に凸部１９ａを有して略凸字状をなす接続部材１９が、その凸部１９ａが下方を向くように取り付けられている。この接続部材１９の凸部１９ａには、掲示板２の板面と直交する方向に挿通孔２６が形成されている。
【００１９】
そして、接続部材１９の凸部１９ａを、接続部材１８の一対の凸部１８ａの間に嵌め込んで、それらに形成されている挿通孔２３，２４，２６にボルト２７を挿通させてナット２８を締め込んである。これにより、支柱部９とベース部１０とは掲示板２の板面と直交する軸を中心に回動可能に連結されている。
【００２０】
次に、上記のように構成された本実施形態の作用及び効果について説明する。
【００２１】
本実施形態に係る標示装置１を平坦な場所に設置する場合には、図２に示すように、一対の脚部３，３の高さ位置を揃えた状態に固定し、所要の場所にベース部１０を設置すればよい。これにより、掲示板２は左右に傾くことなく設置される。なお、掲示板２を設置面から離れた高い位置に移動させたい場合には、双方の脚部３について、取付ボルト１６を緩めて脚部３を掲示板２に対して移動可能にした上で、所要の長さに調節し、再度、取付ボルト１６を締め込んで脚部３を移動できないように固定すればよい。
【００２２】
さて、左右方向に段階的な高低差のある場所（例えば階段）に設置する場合には、次のようにする（図６参照）。まず、一対の脚部３、３のうち、一方の脚部３の取付けボルト１６を緩め、脚部３を掲示板２に対して移動可能にする。そして、左右の高低差に合わせて、低いほうの脚部３を下向きに移動させ、脚部３の掲示板２から下方への突出長さＤ１を必要な長さに調節した後、取付けボルト１６を締め込んで掲示板２と当該脚部３とを移動不能にする。この後、掲示装置１を掲示場所に設置すれば、掲示板２は左右に傾くことなく設置される。なお、掲示板２を設置面から離れた高い位置に移動させたい場合には、前述の場合と同様に、双方の脚部３を所要の長さに調節した上で、再度、固定すればよい。
【００２３】
また、本実施形態に係る標示装置１を連続的な傾斜地に設置する場合には、やはり、一方の脚部３の突出長さを所要の長さに調節すればよい（図７参照）。この場合、両脚部３の掲示板２から下方への突出長さＤ１とＤ２との差が、設置部分の左右の高低差Ｄ３となる（Ｄ３＝Ｄ１−Ｄ２）ようにすれば、掲示板２を傾きなく設置できる。なお、このように連続的な傾斜地に設置する場合には、さらに、各ベース部１０のボルト２７を緩め、傾斜地の設置面と、ベース部１０の底面とが平行になるようにベース部１０を支柱部９に対して揺動させた後（図８参照）、ボルト２７を締め込んで支柱部９とベース部１０とを固定すればよい。このようにすることで、設置面に対するベース部３の接触面積を広くすることができるので、標示装置１を安定して設置できる。
【００２４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）前記実施形態においては、一対の脚部３、３の両方について掲示板２から下方への突出長さが調節可能となるようにしたが、これに限られず、一方の脚部３のみについて、掲示板２から下方への突出長さが調節可能となるようにしても、前記実施形態と同様の作用・効果を得ることができる。
（２）前記実施形態においては、脚部３について、掲示板２から下方に突出する長さを調節する手法として、スリット１７を設けたが、これに限られず、スリット１７の代わりに掲示板取付け部１２に複数の挿通孔を設け、当該挿通孔に取付けボルト１６を通し、枠体６に形成された螺子孔８にねじ込まれるものとしても、前記実施形態と同様の作用・効果を得ることができる。
（３）前記実施形態においては、掲示板２と脚部３との接続方法を、掲示板２から下方への脚部の突出長さを調節可能なものとしたが、これに限られず、掲示板２と脚部３とは完全に固定しておいて、脚部３自体を伸縮可能なものとすることによっても、前記実施形態と同様の作用・効果を得ることができる。
（４）前記実施形態においては、円形のつまみ部１５のついた取付けボルト１６を締め付けることにより掲示板２に脚部３を取り付けたが、これに限られず、掲示板２と支柱部９とを固定する取付けボルトとして、図９に示すように、枠体６側に取付けボルト２９を固定し、この取付けボルト２９を掲示板取付け部１２のスリット１７を通して蝶螺子３０を締め付けることにより掲示板２と支柱部９とを取り付けるものとしても、前記実施形態と同様の作用・効果を得ることができる。
（５）前記実施形態においては、支柱部９と脚部３とを接続部材１８、１９を用いて連結することにより、掲示板２と直交する軸に対して回動可能に取り付けたが、これに限られず、図１０に示すように、支柱部９と脚部３とを直接取付け、かつ、脚部３の底面の両端部に半球状の突部３１を取り付けることによっても、ベース部１０を回動させることなく、傾斜地において標示装置１を安定して設置できる。
【図面の簡単な説明】
【図１】本実施形態における標示装置の斜視図
【図２】本実施形態における標示装置の正面図
【図３】本実施形態における標示装置の側面図
【図４】本実施形態における掲示板及び支柱部の拡大断面図
【図５】本実施形態における掲示板及び支柱部の拡大断面図
【図６】本実施形態における標示装置を高低差のある場所に設置した正面図
【図７】本実施形態における標示装置を傾斜地に設置した正面図
【図８】本実施形態における接続部材の拡大図
【図９】他の実施形態（４）における掲示板及び支柱部の拡大断面図
【図１０】他の実施形態（５）における標示装置を傾斜地に設置した正面図
【符号の説明】
１…標示装置
２…掲示板
３…脚部
９…支柱部
１０…ベース部
１７…スリット
１５…つまみ部
１８、１９…接続部材
２７…ボルト
【図１】
2004012507.tif 000003
【図２】
2004012507.tif 000004
【図３】
2004012507.tif 000005
【図４】
2004012507.tif 000006
【図５】
2004012507.tif 000007
【図６】
2004012507.tif 000008
【図７】
2004012507.tif 000009
【図８】
2004012507.tif 000010
【図９】
2004012507.tif 000011
【図１０】
2004012507.tif 000012